(57)【要約】【課題】ｅＣＰＲＩを伝送プロトコルとして用いるシステムを導入する場合にＣＰＲＩを伝送プロトコルとして用いているシステムを容易に組み込む。【解決手段】実施形態の通信中継装置は、第１伝送プロトコルを用いて集約基地局と第１の移動通信端末装置との間で伝送データを中継する通信中継装置である。  伝送プロトコル変換部は、無線基地局と第２の移動通信端末装置との間で第２伝送プロトコルを用いて伝送される伝送データを、第１伝送プロトコルの伝送データに変換して中継する。【選択図】図２
2020205552.tif 000002
【特許請求の範囲】
【請求項１】
第１伝送プロトコルを用いて集約基地局と第１の移動通信端末装置との間で伝送データを中継する通信中継装置であって、
無線基地局と第２の移動通信端末装置との間で第２伝送プロトコルを用いて伝送される伝送データを、前記第１伝送プロトコルの伝送データに変換して中継する伝送プロトコル変換部を備えた通信中継装置。
【請求項２】
前記伝送プロトコル変換部は、前記無線基地局に対する前記第２の移動通信端末装置からの伝送データに対応する前記第１伝送プロトコルの伝送データを無線信号に変換して前記無線基地局に送信する無線部を備えた、
請求項１記載の通信中継装置。
【請求項３】
前記伝送プロトコル変換部は、前記第２の移動通信端末装置に対応する前記第１伝送プロトコルの伝送データを前記第２伝送プロトコルの伝送データに変換して前記第２の移動通信端末装置に伝送する、
請求項１記載の通信中継装置。
【請求項４】
前記無線基地局からの無線信号に対応する前記第１伝送プロトコルの伝送データを前記第２伝送プロトコルの伝送データに変換する第１変換部と、
前記第２の移動通信端末装置からの伝送データに対応する前記第２伝送プロトコルの伝送データを前記第１伝送プロトコルの伝送データに変換する第２変換部と、を備えた、
請求項３記載の通信中継装置。
【請求項５】
第１伝送プロトコルを用いて集約基地局と第１の移動通信端末装置との間で伝送データを中継する通信中継システムで用いられる通信中継装置であって、
第２伝送プロトコルを用いて第２の移動通信端末装置との間で通信を行う無線基地局からの伝送データを前記第１伝送プロトコルの伝送データに変換して中継するとともに、前記第２の移動通信端末装置から前記無線基地局への伝送データを前記第２伝送プロトコルに変換して中継する伝送プロトコル変換部を備えた通信中継装置。
【請求項６】
第１伝送プロトコルを用いて集約基地局と第１の移動通信端末装置との間で伝送データを中継する通信中継システムで用いられる通信中継装置あって、
第２伝送プロトコルを用いて第２の移動通信端末装置との間で通信を行う無線基地局からの伝送データに対応する前記第１伝送プロトコルの伝送データを前記第２伝送プロトコルの伝送データに変換して中継するとともに、前記第２の移動通信端末装置から前記無線基地局への伝送データを前記第１伝送プロトコルに変換して中継する伝送プロトコル変換部を備えた通信中継装置。
【請求項７】
第１伝送プロトコルを用いて集約基地局と第１の移動通信端末装置との間で伝送データを中継する通信中継システムであって、
第２伝送プロトコルを用いて第２の移動通信端末装置との間で通信を行う無線基地局からの伝送データを前記第１伝送プロトコルの伝送データに変換して中継するとともに、前記第２の移動通信端末装置から前記無線基地局への伝送データを前記第２伝送プロトコルに変換して中継する第１伝送プロトコル変換部を備えた第１通信中継装置と、
前記無線基地局からの伝送データに対応する前記第１伝送プロトコルの伝送データを前記第２伝送プロトコルの伝送データに変換して中継するとともに、前記第２の移動通信端末装置から前記無線基地局への伝送データを前記第１伝送プロトコルに変換して中継する第２伝送プロトコル変換部を備えた第２通信中継装置と、
を備えた通信中継システム。
【請求項８】
前記第１通信中継装置と、前記第２通信中継装置との間の伝送路中に設けられ、前記第１伝送プロトコルの伝送データを前記第１通信中継装置と、前記第２通信中継装置との間で相互に中継する第３通信中継装置を備えた、
請求項７記載の通信中継システム。
【請求項９】
第１伝送プロトコルを用いて集約基地局と第１の移動通信端末装置との間で伝送データを中継する通信中継装置で実行される方法であって、
無線基地局から第２の移動通信端末装置に対して第２伝送プロトコルを用いて伝送される伝送データを受信する過程と、
受信した前記第１伝送プロトコルの伝送データに変換して前記第２の移動通信端末装置の側に送信する過程と、
を備えた方法。
【請求項１０】
第１伝送プロトコルを用いて集約基地局と第１の移動通信端末装置との間で伝送データを中継する通信中継装置をコンピュータにより制御するためのプログラムであって、
前記コンピュータを、
無線基地局から第２の移動通信端末装置に対して第２伝送プロトコルを用いて伝送される伝送データを受信する手段と、
受信した前記第１伝送プロトコルの伝送データに変換して前記第２の移動通信端末装置の側に送信する手段と、
して機能させるプログラム。
【発明の詳細な説明】
【技術分野】
【０００１】
本発明の実施形態は、通信中継装置、通信中継システム、方法及びプログラムに関する。
【背景技術】
【０００２】
従来、携帯電話、スマートフォン等の移動通信端末装置の通信を確保するに際し、無線容量が少ない場所のエリア対策として、集約基地局（ＣＵ：Centralized  Unit）とリモート局（ＤＵ：Distributed  Unit）間のフロントホール（Front  Haul）回線を複数に分配するＦＨＭ（Front  Haul  Multiplexer）が知られている。
【０００３】
また、移動通信端末装置を無線電波が届かない屋内等で使用可能とするために、光リピータシステム（通信中継システム）が知られている。
【０００４】
このような光リピータシステムにおいては、無線基地局に接続された１台の親機（MU）に複数の子機（RU）を接続して実効的に無線基地局の通信エリアを拡大することにより、大規模な商業施設やオフィスビルといった広範囲の無線電波が届かないエリア（例えば、室内エリア）をカバーしていた。
【先行技術文献】
【特許文献】
【０００５】
【特許文献１】特開２０１７−００５３５７号公報
【発明の概要】
【発明が解決しようとする課題】
【０００６】
ところで、従来のフロントホールは、ＣＰＲＩ（Common  Public  Radio  Interface）という伝送プロトコル（方式）が用いられていたが、年々増加するトラフィックに伴うフロントホールの伝送容量が課題となっており、集約基地局及びリモート局の機能分割を見直し、フロントホールの伝送容量を抑制する、例えばｅＣＰＲＩといった伝送プロトコル（例えば、eCPRI  Specification  V1.2  (2018-06-25)が検討されている。
【０００７】
ｅＣＰＲＩのような伝送プロトコルは、イーサネット（登録商標）やＩＰ（インターネットプロトコル）ネットワークにおける通信で用いられることが多い。
【０００８】
ここで、ｅＣＰＲＩのような伝送プロトコルを用いるフロントホールは、５Ｇ（第５世代移動通信システム）で用いられる集約基地局とリモート局との間の接続に対応しているが、ｅＣＰＲＩは、ＣＰＲＩに対して互換性がないため、従来の光リピータシステムのように伝送プロトコルとしてＣＰＲＩが用いられている場合には、当該光リピータシステムの信号を伝送することはできず、光リピータシステムの設置場所にｅＣＰＲＩを導入しようとする場合には、全ての装置を更新する必要があった。
したがって設置の手間や設置コストの観点から、導入が困難となる虞があった。
【０００９】
本発明は、上記に鑑みてなされたものであって、ｅＣＰＲＩを伝送プロトコルとして用いるシステムを導入する場合にＣＰＲＩを伝送プロトコルとして用いているシステムを容易に組み込むことが可能な通信中継装置、通信中継システム、方法及びプログラムを提供することを目的としている。
【課題を解決するための手段】
【００１０】
実施形態の通信中継装置は、第１伝送プロトコルを用いて集約基地局と第１の移動通信端末装置との間で伝送データを中継する通信中継装置である。
伝送プロトコル変換部は、無線基地局と第２の移動通信端末装置との間で第２伝送プロトコルを用いて伝送される伝送データを、第１伝送プロトコルの伝送データに変換して中継する。
【図面の簡単な説明】
【００１１】
【図１】図１は、第１実施形態の通信システムの一例の概要構成ブロック図である。
【図２】図２は、親機の一例の概要構成ブロック図である。
【図３】図３は、ハブ装置の一例の概要構成ブロック図である。
【図４】図４は、子機の一例の概要構成ブロック図である。
【図５】図５は、第１実施形態の第１変形例の通信システムの一例の概要構成ブロック図である。
【図６】図６は、親機の一例の概要構成ブロック図である。
【図７】図７は、第１実施形態の第２変形例の通信システムの一例の概要構成ブロック図である。
【図８】図８は、子機の概要構成ブロック図である。
【図９】図９は、第１実施形態の第３変形例の通信システムの一例の概要構成ブロック図である。
【図１０】図１０は、第２実施形態のハブ装置の概要構成ブロック図である。
【図１１】図１１は、第２実施形態の子機の概要構成ブロック図である。
【発明を実施するための形態】
【００１２】
次に図面を参照して好適な実施形態について詳細に説明する。
［１］第１実施形態
図１は、第１実施形態の通信システムの一例の概要構成ブロック図である。
通信システム１０は、大別すると、無線基地局１１、集約基地局１２、親機１３、ハブ装置１４−１〜１４−ｉ、子機１５−１〜１５−ｊ及びリモート局１６−１〜１６−ｋを備えている。
【００１３】
上記構成において、親機１３、ハブ装置１４−１〜１４−ｉ及び子機１５−１〜１５−ｊは、無線中継システム２０を構成しており、無線基地局１１あるいは集約基地局１２と移動通信端末装置２１−１、２１−２との間の通信を中継している。
また、親機１３は、第１通信中継装置として機能し、子機１５−１〜１５−ｊは、第２通信中継装置として機能し、ハブ装置１４−１〜１４−ｉは、第３通信中継装置として機能している。
無線基地局１１と親機１３との間は、同軸ケーブルで接続されている。
【００１４】
また、集約基地局１２と親機１３との間は、イーサネットケーブルあるいは光ケーブルにより接続されている。
また親機１３とハブ装置１４−１〜１４−ｉとの間は、それぞれイーサネットケーブルあるいは光ケーブルにより接続されている。
【００１５】
またハブ装置１４−１と対応する子機１５−１〜１５−ｊあるいはリモート局１６−１〜１６−ｋとの間は、それぞれーサネットケーブルあるいは光ケーブルにより接続されている。この場合において、ハブ装置１４−１と対応する子機１５−１〜１５−ｊとの間の通信には、伝送プロトコルとして第２伝送プロトコルとしてのＣＰＲＩが用いられており、ハブ装置１４−１と対応するリモート局１６−１〜１６−ｋとの間の通信には、伝送プロトコルとして第１伝送プロトコルとしてのｅＣＰＲＩが用いられているものとする。
【００１６】
図２は、親機の一例の概要構成ブロック図である。
親機１３は、大別すると、無線信号インタフェース部３１、上位インタフェース（上位ＩＦ）部３２、スイッチ部３３及び下位インタフェース部３４−１〜３４−ｉを備えている。
【００１７】
次に親機１３を構成している各部について詳細に説明する。
まず、無線信号インタフェース部３１は、無線基地局１１との間の通信インタフェース動作を行っている。この場合において、用いられている伝送プロトコルは、例えば、ＣＰＲＩである。
この場合において、無線信号インタフェース部３１は、伝送プロトコル変換部として機能している。
【００１８】
無線信号インタフェース部３１は、大別すると、無線部４１、Ａ／Ｄ変換部（Ａ／Ｄ）４２、分配部４３、マッパー部４４、メディアアクセスコントローラ（ＭＡＣ）部４５、デマッパー部４６、合成部４７、Ｄ／Ａ変換部（Ｄ／Ａ）４８を備えている。
【００１９】
無線部４１は、無線基地局１１との間で無線信号の送受信を行う。
具体的には、無線信号を受信すると、受信した無線信号の信号増幅、フィルタ処理、ダウンコンバート等の無線受信処理を行ってアナログ信号に変換しＡ／Ｄ変換部４２に出力する。また、Ｄ／Ａ変換部４８が変換したアナログ合成信号が入力されると、アップコンバート、フィルタ処理及び信号増幅などの無線送信処理を行って、無線信号に変換して無線基地局１１に送信する。
【００２０】
Ａ／Ｄ変換部４２は、無線部４１が受信したアナログ無線信号をディジタルＩＱ信号（ディジタル直交信号）に変換する。
分配部４３は、変換されたディジタルＩＱ信号をハブ装置１４−１〜１４−ｉに分配するための複製を行う。
【００２１】
マッパー部４４は、分配されたディジタルＩＱ信号を第１伝送プロトコルである、例えば、ｅＣＰＲＩのフォーマットにマッピングしてメディアアクセスコントローラ部４５に出力する。
【００２２】
メディアアクセスコントローラ部４５は、入力されたｅＣＰＲＩのフォーマットのディジタルＩＱ信号にＭＡＣ処理を行い、イーサネットフレームデータとし、イーサネットフレームデータの送受信制御及び誤り検出を行ってスイッチ部に出力する。
【００２３】
また、メディアアクセスコントローラ部４５は、スイッチ部を介してイーサネットフレームデータが入力されると、イーサネットフレームデータに対して、メディアアクセスコントロール処理を行い、デマッパー部４６に出力する。
デマッパー部４６は、受信したｅＣＰＲＩのフォーマットのイーサネットフレームデータから必要なディジタルＩＱ信号を取り出し、合成部４７に出力する。
【００２４】
合成部４７は、取り出された複数のハブ装置１４−１〜１４−ｎからのディジタルＩＱ信号各種ディジタルデータを合成して合成ディジタルデータとして出力する。
Ｄ／Ａ変換部４８は、合成部４７が出力した合成ディジタルデータのアナログ合成信号に変換して、無線部４１に出力する。
【００２５】
上位インタフェース部３２は、集約基地局１２との間の通信インタフェース動作を行っている。この場合において、用いられている伝送プロトコルは、例えば、ｅＣＰＲＩである。
【００２６】
スイッチ部３３は、無線信号インタフェース部３１を介した無線基地局と下位インタフェース部３４−１〜３４−ｎを介したハブ装置との間、あるいは、上位インタフェース部３２を介した集約基地局１２と下位インタフェース部３４−１〜３４−ｉを介したハブ装置１４−１〜１４−ｉとの間で接続先を切り替える。
【００２７】
下位インタフェース部３４−１〜３４−ｉは、同一構成であり、スイッチ部３３と、光ケーブルで接続された対応するハブ装置との間の通信インタフェース動作を行う。
【００２８】
次にハブ装置の構成について説明する。
ハブ装置１４−１〜１４−ｉは、同様な構成であるので、ハブ装置１４−１を例として説明する。
【００２９】
図３は、ハブ装置の一例の概要構成ブロック図である。
ハブ装置１４−１は、大別すると、上位インタフェース(上位ＩＦ)部５１、スイッチ部５２、第１下位インタフェース（第１下位ＩＦ）部５３−１〜５３−ｊ及び第２下位インタフェース（第２下位ＩＦ）部５４−１〜５４−ｋを備えている。この場合において、第１下位インタフェース（第１下位ＩＦ）部５３−１〜５３−ｊは、伝送プロトコル変換部として機能している。
上位インタフェース部５１は、親機１３との間の通信インタフェース動作を行う。
【００３０】
スイッチ部５２は、上位インタフェース部５１及び第１下位インタフェース部５３−１〜５３−ｊを介した親機１３と子機１５−１〜１５−ｊとの間、あるいは、上位インタフェース部５１及び第２下位インタフェース部５４−１〜５４−ｋを介した集約基地局とリモート局１６−１〜１６−ｋとの間で接続先を切り替える。
【００３１】
第１下位インタフェース部５３−１〜５３−ｊは、同様の構成を有しているので、第１下位インタフェース部５３−１を例として説明を行う。
第１下位インタフェース部５３−１は、大別すると、メディアアクセスコントローラ（ＭＡＣ）部６１、第１デマッパー部６２、分配部６３、第２マッパー部６４、インタフェース(ＩＦ)部６５、第２デマッパー部６６、合成部６７、第１マッパー部６８を備えている。
【００３２】
メディアアクセスコントローラ（ＭＡＣ）部６１は、親機１３あるいは子機１５−１〜１５−ｍとの間のフレームデータの送受信制御及び誤り検出を行う。
第１デマッパー部６２は、親機１３から受信した伝送プロトコルがｅＣＰＲＩであるフレームデータから必要なディジタルＩＱ信号（生データ）を取り出し、分配部６３に出力する。
【００３３】
分配部６３は、第１デマッパー部６２により取り出されたディジタルＩＱ信号を複製して、第２マッパー部６４に出力する。
第２マッパー部６４は、分配されたディジタルＩＱ信号を、多重化して、伝送するための伝送プロトコルがＣＰＲＩであるフレームデータを生成しインタフェース部６５に出力する。
【００３４】
インタフェース部６５は、子機１５−１との間の通信インタフェース動作を行う。
第２デマッパー部６６は、インタフェース部６５を介して受信した子機１５−１からの伝送プロトコルＣＰＲＩのフレームデータから必要なディジタルＩＱ信号を取り出し、合成部６７に出力する。
【００３５】
合成部６７は、取り出したディジタルＩＱ信号を合成して合成ディジタルＩＱ信号として第１マッパー部６８に出力する。
第１マッパー部６８は、合成ディジタルＩＱ信号を多重化して伝送するためのフレームデータを生成し、メディアアクセスコントローラ（ＭＡＣ）部６１に出力する。
【００３６】
第２下位インタフェース部５４−１〜５４−ｋは、それぞれ対応するリモート局１６−１〜１６−ｋとの間の通信インタフェース動作を行う。
【００３７】
次に子機の構成について説明する。
子機１５−１〜１５−ｊは、同様な構成であるので、子機１５−１を例として説明する。
図４は、子機の一例の概要構成ブロック図である。
子機１５−１は、大別すると、インタフェース（ＩＦ）部７１、第２デマッパー部７２、Ｄ／Ａ変換部（Ｄ／Ａ）７３、アンテナ７４、無線部７５、Ａ／Ｄ変換部（Ａ／Ｄ）７６、第２マッパー部７７を備えている。
【００３８】
子機１５−１のインタフェース（ＩＦ）部７１は、ハブ装置１４−１との間の通信インタフェース動作を行う。
第２デマッパー部７２は、インタフェース部７１を介して受信したハブ装置１４−１からの伝送プロトコルＣＰＲＩのフレームデータから必要なディジタルＩＱ信号を取り出して、Ｄ／Ａ変換部７３に出力する。
【００３９】
Ｄ／Ａ変換部（Ｄ／Ａ）７３は、ディジタルＩＱ信号のＤ／Ａ変換を行って、アナログＩＱ信号（送信信号）として、無線部７５に出力する。
無線部７５は、入力されたアナログＩＱ信号のアップコンバート、フィルタ処理、信号増幅などを行って、アンテナ７４を介して無線信号として移動通信端末装置２１−１に送信する。
【００４０】
また、無線部７５は、アンテナ７４を介して移動通信端末装置２１−１から無線信号が入力された場合には、信号増幅、フィルタ処理、ダウンコンバート等の処理を行って、Ａ／Ｄ変換部７６にアナログＩＱ信号（受信信号）として出力する。
【００４１】
Ａ／Ｄ変換部７６は、アナログＩＱ信号のＡ／Ｄ変換を行って、ディジタルＩＱ信号として第２マッパー部７７に出力する。
第２マッパー部７７は、入力されたディジタルＩＱ信号を、多重化して、伝送するための伝送プロトコルがＣＰＲＩであるフレームデータを生成しインタフェース部７１に出力する。
【００４２】
次に実施形態の動作について、下り信号処理時と、上り信号処理時と、に分けて説明する。
まず、無線基地局と移動通信端末装置との間の通信動作について説明する。
最初に下り信号処理時について説明する。
無線基地局１１から無線信号（下り信号）が入力されると、無線部４１は、無線基地局１１との間で無線信号の送受信を行う。
【００４３】
具体的には、無線信号を受信すると、受信した無線信号の信号増幅、フィルタ処理、ダウンコンバート等の無線受信処理を行ってアナログ信号に変換しＡ／Ｄ変換部４２に出力する。
【００４４】
これにより、Ａ／Ｄ変換部４２は、無線部４１が受信したアナログ無線信号をディジタルＩＱ信号（ディジタル直交信号）に変換して、分配部４３に出力する。
分配部４３は、変換されたディジタルＩＱ信号をハブ装置１４−１〜１４−ｉに分配するための複製を行い、マッパー部４４に出力する。
【００４５】
マッパー部４４は、分配されたディジタルＩＱ信号を第１伝送プロトコルである、ｅＣＰＲＩのフォーマットにマッピングしてメディアアクセスコントローラ部４５に出力する。
メディアアクセスコントローラ部４５は、入力されたｅＣＰＲＩのフォーマットのディジタルＩＱ信号にＭＡＣ処理を行い、イーサネットフレームデータとし、イーサネットフレームデータの送受信制御及び誤り検出を行ってスイッチ部３３に出力する。
【００４６】
スイッチ部３３は、イーサネットフレームデータの宛先情報から転送先を判別し、所望の転送先に相当するハブ装置１４−ｘ（例えば、ハブ装置１４−１）に対応する下位インタフェース部３４−ｘ（例えば、下位インタフェース部３４−１）を介して転送する。
【００４７】
これにより親機１３からイーサネットフレームデータを受信したハブ装置１４−ｘ（上述の例の場合、ハブ装置１４−１）の上位インタフェース部５１は、親機１３との間の通信インタフェース動作を行い、受信したイーサネットフレームデータをスイッチ部５２に出力する。
【００４８】
スイッチ部５２は、入力されたイーサネットフレームデータの宛先情報からさらなる転送先を判別し、所望の転送先に相当する子機１５−１〜１５−ｊに対応する第１下位インタフェース部５３−１〜５３−ｊあるいはリモート局１６−１〜リモート局１６−ｋに対応する第２下位インタフェース部５４−１〜５４−ｋのいずれかにイーサネットフレームデータを出力する。
【００４９】
ここでは、一例として、子機１５−１にイーサネットフレームデータを転送する場合について説明する。
子機１５−１にイーサネットフレームデータを転送する場合には、スイッチ部５２は、所望の転送先である子機１５−１に対応する第１下位インタフェース部５３−１に伝送プロトコルＣＰＲＩのイーサネットフレームデータを出力する。
【００５０】
この結果、子機１５−１のインタフェース（ＩＦ）部７１は、ハブ装置１４−１との間の通信インタフェース動作を行い、イーサネットフレームデータを受信し、第２デマッパー部７２に出力する。
第２デマッパー部７２は、入力されたハブ装置１４−１からの伝送プロトコルＣＰＲＩのイーサネットフレームデータから必要なディジタルＩＱ信号を取り出して、Ｄ／Ａ変換部７３に出力する。
【００５１】
Ｄ／Ａ変換部（Ｄ／Ａ）７３は、入力されたディジタルＩＱ信号のＤ／Ａ変換を行って、アナログＩＱ信号（送信信号）として、無線部７５に出力する。
無線部７５は、入力されたアナログＩＱ信号のアップコンバート、フィルタ処理、信号増幅などを行って、アンテナ７４を介して無線信号として移動通信端末装置に送信する。
【００５２】
以上の説明のように、本実施形態によれば、無線基地局１１から受信した無線信号を伝送プロトコルｅＣＰＲＩを用いて、親機１３からハブ装置１４−１に伝送し、ハブ装置１４−１において、伝送プロトコルＣＰＲＩに変換して子機１５−１に伝送するので、子機１５−１から見れば、親機１３、ひいては、無線基地局１１から伝送プロトコルＣＰＲＩによりディジタルＩＱ信号が伝送された場合と等価となる。
【００５３】
したがって、第１伝送プロトコルであるｅＣＰＲＩを用いて集約基地局と移動通信端末装置との間で伝送データを中継する通信中継装置を用いて、第２伝送プロトコルであるＣＰＲＩを用いて通信を行う無線基地局から移動通信端末装置への伝送（下り信号処理）を行うことができる。
【００５４】
次に上り信号処理時について説明する。
アンテナ７４を介して移動通信端末装置２１−１から無線信号が入力された場合には、無線部７５は、信号増幅、フィルタ処理、ダウンコンバート等の処理を行って、Ａ／Ｄ変換部７６にアナログＩＱ信号（受信信号）として出力する。
【００５５】
Ａ／Ｄ変換部７６は、入力されたアナログＩＱ信号のＡ／Ｄ変換を行って、ディジタルＩＱ信号として第２マッパー部７７に出力する。
第２マッパー部７７は、入力されたディジタルＩＱ信号を、多重化して、伝送するための伝送プロトコルがＣＰＲＩであるイーサネットフレームデータを生成しインタフェース部７１に出力する。
【００５６】
これにより、インタフェース（ＩＦ）部７１は、ハブ装置１４−１との間の通信インタフェース動作を行って伝送プロトコルがＣＰＲＩであるイーサネットフレームデータをハブ装置１４−１に送信する。
【００５７】
ハブ装置１４−１のインタフェース部６５は、子機１５−１との間の通信インタフェース動作を行い、伝送プロトコルＣＰＲＩであるイーサネットフレームデータを受信して第２デマッパー部６６に出力する。
【００５８】
第２デマッパー部６６は、インタフェース部６５を介して受信した子機１５−１からの伝送プロトコルＣＰＲＩのイーサネットフレームデータから必要なディジタルＩＱ信号を取り出し、合成部６７に出力する。
合成部６７は、取り出したディジタルＩＱ信号を合成して合成ディジタルＩＱ信号として第１マッパー部６８に出力する。
【００５９】
第１マッパー部６８は、合成ディジタルＩＱ信号を多重化して伝送するための伝送プロトコルｅＣＰＲＩのイーサネットフレームデータを生成し、メディアアクセスコントローラ部６１に出力する。
【００６０】
メディアアクセスコントローラ部６１は、子機１５−１に対応する伝送プロトコルｅＣＰＲＩのイーサネットフレームデータの受信制御及び誤り検出を行い、スイッチ部５２に出力する。
【００６１】
スイッチ部５２は、入力されたイーサネットフレームデータの宛先情報からさらなる転送先である親機１３を判別し、上位インタフェース部５１にイーサネットフレームデータを出力する。
【００６２】
上位インタフェース部５１は、親機１３との間の通信インタフェース動作を行い、伝送プロトコルｅＣＰＲＩを用いて親機１３にイーサネットフレームデータを送信する。
【００６３】
親機１３の下位インタフェース部３４−１光ケーブルで接続された対応するハブ装置１４−１との間の通信インタフェース動作を行い、伝送プロトコルｅＣＰＲＩを用いたイーサネットフレームデータをスイッチ部３３に出力する。
【００６４】
スイッチ部３３は、下位インタフェース部３４−１を介したハブ装置１４−１との間、あるいは、上位インタフェース部３２を介した集約基地局１２と下位インタフェース部３４−１〜３４−ｎを介したハブ装置との間で接続先を切り替える。
【００６５】
メディアアクセスコントローラ部４５は、スイッチ部３３を介してイーサネットフレームデータが入力されると、伝送プロトコルｅＣＰＲＩのイーサネットフレームデータに対して、ＭＡＣ処理を行い、デマッパー部４６に出力する。
【００６６】
デマッパー部４６は、受信した伝送プロトコルｅＣＰＲＩのイーサネットフレームデータから必要なディジタルＩＱ信号を取り出し、合成部４７に出力する。
合成部４７は、同様にして取り出された複数のハブ装置１４−１〜１４−ｎからのディジタルＩＱ信号各種ディジタルデータを合成して合成ディジタルデータとしてＤ／Ａ変換部４８に出力する。
【００６７】
Ｄ／Ａ変換部４８は、合成部４７が出力した合成ディジタルデータのアナログ合成信号に変換して、無線部４１に出力する。
この結果、無線部４１は、アナログ合成信号に基づいて、無線基地局１１に対し、無線信号の送信を行う。
【００６８】
以上の説明のように、本実施形態によれば、移動通信端末装置２１−１から受信した無線信号を伝送プロトコルｅＣＰＲＩを用いて、ハブ装置１４−１を介して親機１３に伝送するので、親機１３から見れば、子機１５−１、ひいては、移動通信端末装置２１−１から伝送プロトコルＣＰＲＩを用いてディジタルＩＱ信号が伝送された場合と等価となる。
【００６９】
したがって、第１伝送プロトコルであるｅＣＰＲＩを用いて集約基地局と移動通信端末装置との間で伝送データを中継する通信中継装置を用いて、第２伝送プロトコルであるＣＰＲＩを用いて通信を行う移動通信端末装置から無線基地局への伝送（上り信号処理）を行うことができる。
【００７０】
次に集約基地局と移動通信端末装置との間の通信動作について説明する。
最初に下り信号処理時の動作について説明する。
集約基地局１２から伝送プロトコルｅＣＰＲＩを用いてイーサネットフレームデータが転送されると、上位インタフェース部５１は、親機１３との間の通信インタフェース動作を行い、受信したイーサネットフレームデータをスイッチ部３３に出力する。
【００７１】
スイッチ部３３は、入力されたイーサネットフレームデータの宛先情報からさらなる転送先を判別し、所望の転送先に相当するハブ装置１４−ｘに対応する下位インタフェース部３４−ｘ（例えば、ハブ装置１４−１に対応する下位インタフェース部３４−１）にイーサネットフレームデータを出力する。
【００７２】
所望の転送先に相当するハブ装置１４−ｘの上位インタフェース部５１は、親機１３との間の通信インタフェース動作を行い、入力された伝送プロトコルｅＣＰＲＩを用いたイーサネットフレームデータの宛先情報からさらなる転送先を判別し、所望の転送先に相当するリモート局１６−ｙに対応する第２下位インタフェース部５４−ｙ（例えば、リモート局１６−１に対応する第２下位インタフェース部５４-１）にイーサネットフレームデータを出力する。
【００７３】
これにより、第２下位インタフェース部５４−ｙ（例えば、リモート局１６−１に対応する第２下位インタフェース部５４-１）は、リモート局１６−ｙ（上述の例の場合、リモート局１６−１）との通信インタフェース動作を行い、イーサネットフレームデータを送信する。
【００７４】
そして、リモート局１６−ｙは対応する移動通信端末装置（図１の例の場合、リモート局１６−１に対応する移動通信端末装置２１−２）に対し、無線通信によりイーサネットフレームデータに対応する下り信号を伝送する。
【００７５】
次に上り信号処理時の動作について説明する。
アンテナ８０を介して移動通信端末装置から上り信号に相当する無線信号が入力された場合には、対応するリモート局１６−ｙ（例えば、アンテナ８０を介して移動通信端末装置２１−２から無線信号が入力されたリモート局１６−１）は、受信した無線信号の処理を行い、伝送プロトコルｅＣＰＲＩを用いたイーサネットフレームデータを生成して、対応するハブ装置１４−ｘ（上述の例の場合、ハブ装置１４−１）に出力する。
【００７６】
これによりハブ装置１４−ｘの対応する第２下位インタフェース部５４−ｚ（例えば、ハブ装置１４−１の第２下位インタフェース部５４−１）は、通信インタフェース動作を行い、入力された伝送プロトコルｅＣＰＲＩを用いたイーサネットフレームデータをスイッチ部５２に出力する。
スイッチ部５２は、上位インタフェース部５１を介して、親機１３に入力されたイーサネットフレームデータを出力する。
【００７７】
これにより下位インタフェース部３４−ｘ（上述の例の場合、ハブ装置１４−１に対応する下位インタフェース部３４−１）は、通信インタフェース動作を行いスイッチ部３３に出力し、スイッチ部３３は、入力された伝送プロトコルｅＣＰＲＩを用いたイーサネットフレームデータの宛先情報からさらなる転送先を判別し、所望の転送先に相当する集約基地局１２に対応する上位インタフェース部３２を介して、イーサネットフレームデータを出力する。
したがって、集約基地局１２は、上り信号としてのイーサネットフレームデータを受信して処理を行うこととなる。
【００７８】
以上の説明のように、本第１実施形態によれば、光リピータシステムの設置場所に伝送プロトコルとしてｅＣＰＲＩを用いる通信中継システムを導入しようとする場合であっても、ＣＰＲＩを伝送プロトコルとして用いている既設置装置（親機及び子機）を容易に組み込むことができ、通信中継システムの機能拡張を容易に行うことができる。
【００７９】
また、逆に伝送プロトコルとしてｅＣＰＲＩを用いる通信中継システムの設置場所に伝送プロトコルとしてＣＰＲＩを用いる光リピータシステムを導入する場合でも、容易に導入が行える。
【００８０】
次に第１実施形態の変形例について説明する。
［１．１］第１実施形態の第１変形例
図５は、第１実施形態の第１変形例の通信システムの一例の概要構成ブロック図である。
図５において、図１と同様の部分には、同一の符号を付すものとする。
図５の第１実施形態の第１変形例の通信システムが、図１の通信システムと異なる点は、ハブ装置を介さずに子機あるいはリモート局が親機に接続されている点である。
【００８１】
通信システム１０Ａは、図５に示すように、大別すると、無線基地局１１、集約基地局１２、親機１３Ａ、子機１５−１〜１５−ｊ及びリモート局１６−１〜１６−ｋを備えている。
【００８２】
上記構成において、親機１３Ａ及び子機１５−１〜１５−ｊは、無線中継システム２０Ａを構成しており、無線基地局１１あるいは集約基地局１２と移動通信端末装置２１−１、２１−２との間の通信を中継している。
【００８３】
図６は、親機の一例の概要構成ブロック図である。
図６において、図２及び図３と同様の部分には、同一の符号を付すものとする。
親機１３Ａは、大別すると、無線信号インタフェース部３１、上位インタフェース（上位ＩＦ）部３２、スイッチ部５２Ａ、第１下位インタフェース（第１下位ＩＦ）部５３−１〜５３−ｊ及び第２下位インタフェース（第２下位ＩＦ）部５４−１〜５４−ｋを備えている。
【００８４】
次に実施形態の第１変形例の動作を説明する。
まず、下り信号処理時について説明する。
無線基地局１１から無線信号（下り信号）が入力されると、無線信号インタフェース部３１の無線部４１は、無線基地局１１との間で無線信号の送受信を行う。
【００８５】
これにより、Ａ／Ｄ変換部４２、マッパー部４４及びメディアアクセスコントローラ部４５は、上述した処理と同様の処理を行い、入力されたｅＣＰＲＩのフォーマットのディジタルＩＱ信号をイーサネットフレームデータに変換して、スイッチ部５２Ａに出力する。
【００８６】
スイッチ部５２Ａは、イーサネットフレームデータの宛先情報から転送先を判別し、所望の転送先に相当する子機１５−ｘ（例えば、子機１５−１）に対応する下位インタフェース部５３−ｘ（例えば、下位インタフェース部５３−１）に出力する。
【００８７】
ここでは、一例として、子機１５−１にイーサネットフレームデータを転送する場合について説明する。
【００８８】
子機１５−１にイーサネットフレームデータを転送する場合には、スイッチ部５２Ａは、所望の転送先である子機１５−１に対応する第１下位インタフェース部５３−１に伝送プロトコルｅＣＰＲＩのイーサネットフレームデータを出力する。
【００８９】
これにより、第１下位インタフェース部５３−１のメディアアクセスコントローラ（ＭＡＣ）部６１は、親機１３あるいは子機１５−１〜１５−ｍとの間のフレームデータの送受信制御及び誤り検出を行い、第１デマッパー部６２に出力する。
第１デマッパー部６２は、入力された伝送プロトコルがｅＣＰＲＩであるフレームデータから必要なディジタルＩＱ信号（生データ）を取り出し、分配部６３に出力する。
分配部６３は、第１デマッパー部６２により取り出されたディジタルＩＱ信号を複製して、第２マッパー部６４に出力する。
【００９０】
第２マッパー部６４は、分配されたディジタルＩＱ信号を、多重化して、伝送するための伝送プロトコルがＣＰＲＩであるフレームデータを生成しインタフェース部６５に出力する。
インタフェース部６５は、子機１５−１との間の通信インタフェース動作を行う。
【００９１】
この結果、子機１５−１のインタフェース（ＩＦ）部７１は、ハブ装置１４−１との間の通信インタフェース動作を行い、イーサネットフレームデータを受信し、第２デマッパー部７２に出力する。
第２デマッパー部７２は、入力されたハブ装置１４−１からの伝送プロトコルＣＰＲＩのイーサネットフレームデータから必要なディジタルＩＱ信号を取り出して、Ｄ／Ａ変換部７３に出力する。
【００９２】
Ｄ／Ａ変換部（Ｄ／Ａ）７３は、入力されたディジタルＩＱ信号のＤ／Ａ変換を行って、アナログＩＱ信号（送信信号）として、無線部７５に出力する。
無線部７５は、入力されたアナログＩＱ信号のアップコンバート、フィルタ処理、信号増幅などを行って、アンテナ７４を介して無線信号として移動通信端末装置に送信する。
【００９３】
以上の説明のように、本実施形態の第１変形例によっても、無線基地局１１から受信した無線信号を親機１３において一旦伝送プロトコルｅＣＰＲＩに変換して伝送プロトコルｅＣＰＲＩで動作しているスイッチ部５２Ａにスイッチングさせ、さらに伝送プロトコルＣＰＲＩに変換して子機１５−１に伝送するので、子機１５−１から見れば、親機１３、ひいては、無線基地局１１から伝送プロトコルＣＰＲＩによりディジタルＩＱ信号が伝送された場合と等価となる。
【００９４】
したがって、第１伝送プロトコルであるｅＣＰＲＩを用いて集約基地局と移動通信端末装置との間で伝送データを中継する親機（通信中継装置）を用いて、第２伝送プロトコルであるＣＰＲＩを用いて通信を行う無線基地局から移動通信端末装置への伝送（下り信号処理）を行うことができる。
【００９５】
次に上り信号処理時について説明する。
アンテナ７４を介して移動通信端末装置２１−１から無線信号が入力された場合には、子機１５−１の無線部７５、Ａ／Ｄ変換部７６及び第２マッパー部７７は、伝送プロトコルがＣＰＲＩであるイーサネットフレームデータを生成しインタフェース部７１に出力する。
【００９６】
これにより、インタフェース（ＩＦ）部７１は、親機１３との間の通信インタフェース動作を行って伝送プロトコルがＣＰＲＩであるイーサネットフレームデータを親機１３に送信する。
【００９７】
そして親機１３のインタフェース部６５は、子機１５−１との間の通信インタフェース動作を行い、伝送プロトコルＣＰＲＩであるイーサネットフレームデータを受信して第２デマッパー部６６に出力する。
【００９８】
第２デマッパー部６６、合成部６７及び第１マッパー部６８は、共働して、伝送プロトコルｅＣＰＲＩのイーサネットフレームデータを生成し、メディアアクセスコントローラ部６１に出力する。
【００９９】
メディアアクセスコントローラ部６１は、子機１５−１に対応する伝送プロトコルｅＣＰＲＩのイーサネットフレームデータの受信制御及び誤り検出を行い、スイッチ部５２Ａに出力する。
【０１００】
スイッチ部５２Ａは、入力されたイーサネットフレームデータの宛先情報からさらなる転送先である無線基地局１１を判別し、無線信号インタフェース部３１にイーサネットフレームデータを出力する。
【０１０１】
この結果、無線信号インタフェース部３１のメディアアクセスコントローラ部４５は、イーサネットフレームデータが入力されると、伝送プロトコルｅＣＰＲＩのイーサネットフレームデータに対して、ＭＡＣ処理を行い、デマッパー部４６に出力する。
【０１０２】
デマッパー部４６は、受信した伝送プロトコルｅＣＰＲＩのイーサネットフレームデータから必要なディジタルＩＱ信号を取り出し、合成部４７に出力する。
合成部４７は、同様にして取り出された複数のハブ装置１４−１〜１４−ｎからのディジタルＩＱ信号各種ディジタルデータを合成して合成ディジタルデータとしてＤ／Ａ変換部４８に出力する。
【０１０３】
Ｄ／Ａ変換部４８は、合成部４７が出力した合成ディジタルデータのアナログ合成信号に変換して、無線部４１に出力する。
この結果、無線部４１は、アナログ合成信号に基づいて、無線基地局１１に対し、無線信号の送信を行う。
以上の説明のように、本実施形態の第１変形例によっても、移動通信端末装置２１−１から受信した無線信号を内部処理的に伝送プロトコルｅＣＰＲＩを用いて伝送するので、親機１３としては、伝送プロトコルがＣＰＲＩあるいはｅＣＰＲＩのいずれであっても同様に扱うことができ、第１伝送プロトコルであるｅＣＰＲＩを用いて集約基地局と移動通信端末装置との間で伝送データを中継する通信中継装置を用いて、第２伝送プロトコルであるＣＰＲＩを用いて通信を行う移動通信端末装置から無線基地局への伝送（上り信号処理）を行うことができる。
【０１０４】
［１．２］第１実施形態の第２変形例
図７は、第１実施形態の第２変形例の通信システムの一例の概要構成ブロック図である。
図７において、図５と同様の部分には、同一の符号を付すものとする。
図７の第１実施形態の第２変形例の通信システムが、図５の通信システムと異なる点は、リモート局が子機を介して親機に接続されている点である。
【０１０５】
通信システム１０Ｂは、図７に示すように、大別すると、無線基地局１１、集約基地局１２、親機１３Ａ、子機１５−１Ａ〜１５−ｊＡ及びリモート局１６−１Ａ〜１６−ｊＡを備えている。
【０１０６】
次に子機１５−１Ａ〜１５−ｊＡを構成している各部について詳細に説明する。
この場合において、子機１５−１Ａ〜１５−ｊＡは、同様の構成であるので、子機１５−１Ａを例として説明する。
【０１０７】
図８は、子機の概要構成ブロック図である。
図８において、図４と同様の部分については、同一の符号を付すものとする。
子機１５−１Ａが、図４の子機１５−１と異なる点は、インターフェース部７１Ａとリモート局１６−１Ａとの間のインタフェース動作を行うインタフェース部８１を備えた点である。
【０１０８】
インタフェース部８１は、リモート局１６−１Ａを介して移動通信端末装置が通信を行う場合に、伝送プロトコルｅＣＰＲＩを用いて通信を中継することとなる。
【０１０９】
本第１実施形態の第２変形例によれば、リモート局１６−１Ａ〜１６−１ｊのために子機１５−１Ａ〜１５−１Ｊの通信配線とは別に親機１３まで通信配線を設けることなく、リモート局１６−１Ａ〜１６−１ｊを設けることが可能となるので、設置の手間を軽減できるとともに、低コストでシステムの拡張が行える。
【０１１０】
［１．３］第１実施形態の第３変形例
図９は、第１実施形態の第３変形例の通信システムの一例の概要構成ブロック図である。
図９において、図１と同様の部分には、同一の符号を付すものとする。
【０１１１】
図９の実施形態の第３変形例の通信システムが、図１の通信システムと異なる点は、第２変形例と同様に、リモート局１６−１Ａ〜１６−ｊＡが子機１５−１Ａ〜１５−ｊＡを介してハブ装置１４−１に接続されている点である。
【０１１２】
本第３変形例においても、第２変形例と同様に、リモート局１６−１Ａ〜１６−１ｊのために子機１５−１Ａ〜１５−１Ｊの通信配線とは別にハブ装置１４−１まで通信配線を設けることなく、リモート局１６−１Ａ〜１６−１ｊを設けることが可能となるので、設置の手間を軽減できるとともに、低コストでより一層容易にシステムの拡張が行える。
【０１１３】
［１．４］第１実施形態の第４変形例
以上の説明においては、親機１３において、無線信号インタフェース部３１が組み込まれている場合について説明したが、無線信号インタフェース部３１を基板状に形成したオプションボードとして構成し、スイッチ部３３に予め用意した拡張スロット等に追加で組み込み可能とするように構成することも可能である。
【０１１４】
同様に、ハブ装置１４−１〜１４−ｉにおいて、第１下位インタフェース部５３−１〜５３−ｊをそれぞれ基板状に形成したオプションボードとして構成し、スイッチ部５２に予め用意した拡張スロット等に追加で組み込み可能とするように構成することも可能である。
【０１１５】
［２］第２実施形態
上記第１実施形態及びその変形例においては、子機が伝送プロトコルとしてＣＰＲＩを用いる場合のものであったが、本第２実施形態は、子機が伝送プロトコルとしてｅＣＰＲＩを用いる場合のものである。
【０１１６】
第２実施形態の通信システムの概要構成は、図１の第１実施形態と同様であるので、図１を参照して説明を行う。
【０１１７】
図１０は、第２実施形態のハブ装置の概要構成ブロック図である。
ハブ装置１４−１Ａは、図１におけるハブ装置１４−１を置き換える場合のものであり、同様に図１におけるハブ装置１４−１〜１４−ｊを置き換えることが可能である。
【０１１８】
図１０に示すハブ装置１４−１Ａが図３に示したハブ装置１４−１と異なる点は、伝送プロトコルＣＰＲＩを用いてインタフェース動作を行う第１下位インタフェース部５３−１〜５３−ｊに代えて、伝送プロトコルｅＣＰＲＩを用いてインタフェース動作を行う第２下位インタフェース５４−１Ａ〜５４−ｊＡを備えた点である。
【０１１９】
図１１は、第２実施形態の子機の概要構成ブロック図である。
子機１５−１Ｂは、大別すると、インタフェース部９１、メディアアクセスコントローラ（ＭＡＣ）部９２、第１デマッパー部９３、Ｄ／Ａ変換部９４、Ａ／Ｄ変換部９５、第１マッパー部９６を備えている。
【０１２０】
インタフェース部９１は、ハブ装置１４−１Ａとの間の通信インタフェース動作を行う。
メディアアクセスコントローラ（ＭＡＣ）部９２は、ハブ装置１４−１Ａとの間のフレームデータの送受信制御及び誤り検出を行う。
【０１２１】
第１デマッパー部９３は、ハブ装置１４−１Ａから受信した伝送プロトコルがｅＣＰＲＩであるフレームデータから必要なディジタルＩＱ信号（生データ）を取り出しＤ／Ａ変換部９４に出力する。
【０１２２】
Ｄ／Ａ変換部９４は、ディジタルＩＱ信号のＤ／Ａ変換を行って、アナログＩＱ信号（送信信号）として、外部の無線部１０１に出力する。
Ａ／Ｄ変換部９５は、外部の無線部１０１から入力されたアナログＩＱ信号のＡ／Ｄ変換を行って、ディジタルＩＱ信号として第１マッパー部９６に出力する。
第１マッパー部９６は、ディジタルＩＱ信号を伝送するためのフレームデータを生成し、メディアアクセスコントローラ（ＭＡＣ）部９２に出力する。
【０１２３】
次に第２実施形態の動作を説明する。
まず、下り信号処理時について説明する。
無線基地局１１から無線信号（下り信号）が親機１３に入力されると、親機１３は、イーサネットフレームデータの宛先情報から転送先を判別し、イーサネットフレームデータを所望の転送先に相当するハブ装置１４−ｘ（例えば、ハブ装置１４−１Ａ）に転送する。
【０１２４】
これにより親機１３からイーサネットフレームデータを受信したハブ装置１４−１Ａの上位インタフェース部５１は、親機１３との間の通信インタフェース動作を行い、受信したイーサネットフレームデータをスイッチ部５２に出力する。
【０１２５】
スイッチ部５２は、入力されたイーサネットフレームデータの宛先情報からさらなる転送先を判別し、所望の転送先に相当する子機１５−１Ｂに対応する第２下位インタフェース部５４−１Ａにイーサネットフレームデータを出力する。
【０１２６】
この結果、イーサネットフレームデータは、子機１５−１Ｂのインタフェース部９１に送信される。
そして、インタフェース部９１は、ハブ装置１４−１Ａとの間の通信インタフェース動作を行い、イーサネットフレームデータをメディアアクセスコントローラ（ＭＡＣ）部９２に出力する。
【０１２７】
このとき、メディアアクセスコントローラ（ＭＡＣ）部９２は、ハブ装置１４−１Ａとの間のイーサネットフレームデータの送受信制御及び誤り検出を行い、第１デマッパー部９３に出力する。
【０１２８】
第１デマッパー部９３は、ハブ装置１４−１Ａから受信した伝送プロトコルがｅＣＰＲＩであるフレームデータから必要なディジタルＩＱ信号（生データ）を取り出しＤ／Ａ変換部９４に出力し、Ｄ／Ａ変換部９４は、ディジタルＩＱ信号のＤ／Ａ変換を行って、アナログＩＱ信号（送信信号）として、外部の無線部１０１に出力する。
これにより、無線部１０１は、移動体通信端末装置に対して、下り信号の送信を行う。
【０１２９】
次に上り信号処理時について説明する。
移動体通信端末装置から上り信号が無線部１０１に到達すると、上り信号としてのアナログＩＱ信号をＡ／Ｄ変換部９５に出力する。
【０１３０】
これにより、Ａ／Ｄ変換部９５は、外部の無線部１０１から入力されたアナログＩＱ信号のＡ／Ｄ変換を行って、ディジタルＩＱ信号として第１マッパー部９６に出力する。
第１マッパー部９６は、ディジタルＩＱ信号を伝送するためのフレームデータを生成し、メディアアクセスコントローラ（ＭＡＣ）部９２に出力する。
【０１３１】
これらの結果、メディアアクセスコントローラ（ＭＡＣ）部９２は、インタフェース部９１を介して、ハブ装置１４−１Ａ、ひいては、親機１３及び無線基地局１１に対して上り信号を送出することとなる。
【０１３２】
以上の説明のように、本第２実施形態によれば、第１伝送プロトコルであるｅＣＰＲＩを用いて無線基地局と移動通信端末装置との間で伝送データを中継する親機、ハブ装置及び子局（通信中継装置）を用いて、第２伝送プロトコルであるＣＰＲＩを用いて通信を行う無線基地局と移動通信端末装置との間の伝送（下り信号処理及び上り信号処理）を行うことができる。
【０１３３】
［３］まとめ
以上の説明のように、各実施形態によれば、ｅＣＰＲＩを伝送プロトコルとして用いるシステムを導入する場合にＣＰＲＩを伝送プロトコルとして用いているシステムを容易に組み込むことができる。
あるいは、第１伝送プロトコルとしてのｅＣＰＲＩを用いた通信中継システムにおいて、従来の伝送プロトコルである第２伝送プロトコルとしてのＣＰＲＩを用いて通信を行う無線基地局を用いた通信システムの組み込みが低コストで容易となる。
【０１３４】
［４］実施形態の変形例
上記各実施形態においては、第１伝送プロトコルとしてｅＣＰＲＩ、第２伝送プロトコルとして本実施形態の通信中継装置（親局［第１通信中継装置］、ハブ装置［第３通信中継装置］、子局［第２通信中継装置］、集約基地局、リモート局）で実行されるプログラムは、ＲＯＭ等に予め組み込まれて提供されるようにすることも可能である。
【０１３５】
また、本実施形態の通信中継装置は、いわゆるコンピュータとして構成可能であり、これらの通信中継装置で実行されるプログラムは、インストール可能な形式又は実行可能な形式のファイルでＣＤ−ＲＯＭ、ＵＳＢメモリ、メモリカード等の半導体メモリ装置、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１３６】
さらに、本実施形態の通信中継装置で実行されるプログラムを、インターネット等のネットワークに接続されたコンピュータ上に格納し、ネットワーク経由でダウンロードさせることにより提供するように構成しても良い。また、本実施形態の通信中継装置で実行されるプログラムをインターネット等のネットワーク経由で提供または配布するように構成しても良い。
【０１３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３８】
１０、１０Ａ、１０Ｂ  通信システム
１１    無線基地局
１２    集約基地局
１３、１３Ａ  親機（第１通信中継装置）
１４    ハブ装置（第３通信中継装置）
１５    子機（第２通信中継装置）
１６    リモート局
２０、２０Ａ  無線中継システム
２１−１、２１−２    移動通信端末装置
３１    無線信号インタフェース部
３２    上位インタフェース部
３３    スイッチ部
３４    下位インタフェース部
４１    無線部
４２    Ａ／Ｄ変換部
４３    分配部
４４    マッパー部
４５    メディアアクセスコントローラ部
４６    デマッパー部
４７    合成部
４８    Ｄ／Ａ変換部
５１    上位インタフェース部
５２、５２Ａ  スイッチ部
５３−１〜５３−ｊ    第１下位インタフェース部
５４−１〜５４−ｋ    第２下位インタフェース部
６１    メディアアクセスコントローラ部
６２    第１デマッパー部
６３    分配部
６４    第２マッパー部
６５    インタフェース部
６６    第２デマッパー部
６７    合成部
６８    第１マッパー部
７１    インタフェース部
７２    第２デマッパー部
７３    Ｄ／Ａ変換部
７４、８０    アンテナ
７５    無線部
７６    Ａ／Ｄ変換部
７７    第２マッパー部
８１    インタフェース部
９１    インタフェース部
９２    部
９３    第１デマッパー部
９４    Ｄ／Ａ変換部
９５    Ａ／Ｄ変換部
９６    第１マッパー部
１０１  無線部
【図１】
2020205552.tif 000003
【図２】
2020205552.tif 000004
【図３】
2020205552.tif 000005
【図４】
2020205552.tif 000006
【図５】
2020205552.tif 000007
【図６】
2020205552.tif 000008
【図７】
2020205552.tif 000009
【図８】
2020205552.tif 000010
【図９】
2020205552.tif 000011
【図１０】
2020205552.tif 000012
【図１１】
2020205552.tif 000013